【事件の表示】
　特許第２７６０７０７号「冷却貯蔵庫」の請求項１ないし２に係る特許に対する特許異議の申立てについて、次のとおり決定する。
【結論】
　訂正を認める。
　特許第２７６０７０７号の請求項１ないし２に係る特許を維持する。
【理由】
１．手続の経緯
　特許第２７６０７０７号の請求項１及び２に係る発明は、平成４年７月２０日（国内優先権　平成３年１０月３１日）に出願され、平成１０年３月２０日に特許の設定登録がなされ、その後、ホシザキ電機株式会社より特許異議の申立てがなされ、取消理由通知がなされ、その指定期間内である平成１１年７月２日に訂正請求がなされたものである。
２．訂正の適否についての判断
（ａ）訂正の内容
　上記訂正請求によれば、特許請求の範囲の請求項１の、
「【請求項１】冷却貯蔵庫１本体上に設けられ、上面が開口し、前面に空気の吸込口１５が形成された機械室１６と、該機械室１６内に設けられた圧縮機１９と、凝縮器１７と、該凝縮器１７を冷却するための送風機１８と、前記機械室１６の上に設けられた物品載置部材２３とよりなり、該物品載置部材２３は、後側板２４及び左右側板２５，２５を傾斜させてなる傾斜部と、該傾斜部２４，２５の上部に設けられ物品を載置するための載置部６と、前記傾斜部に形成された空気抜口４３，４２とを備えたことを特徴とする冷却冷蔵庫。」を、
「【請求項１】冷却貯蔵庫本体１上に設けられ、上面が開口し、前面に空気の吸込口１５が形成された機械室１６と、該機械室１６内に設けられた圧縮機１９と、凝縮器１７と、該凝縮器１７を冷却するための送風機１８と、前記機械室１６の前面にある前面グリル１０の上端縁の後方へ延びて前記機械室１６の上方を区画する天板２６と、前記天板２６の後部に設けた開口１４と、前記天板２６の上方に設けられて前記天板２６と箱体又は籠体をなす物品載置部材２３とよりなり、前記物品載置部材２３は、後側板２４及び左右側板２５，２５を傾斜させてなる傾斜部と、該傾斜部２４，２５の上部に設けられ物品を載置するための載置部６と、前記傾斜部に形成された空気抜口４３，４２と、前方側面が開放された空気排出の空間２７とを備えたことを特徴とする冷却冷蔵庫。」
と訂正し、
　特許請求の範囲の請求項２の、
「【請求項２】冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４と、後部に開口１４を有する天板２６と、該天板２６とは間隔を存して形成され、前記左右側板４，４の上端部に設けられた板２３とを備えてなることを特徴とする冷却貯蔵庫。」
を、
「【請求項２】冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４及び後側板５と、前記機械室１６の前面にある前面グリル１０の上端縁の後方へ延びて前記機械室１６の上方を区画し後部に開口１４を有する天板２６と、前記機械室１６を流れる空気を前記開口１４を通過して前記前面グリル１０上方から前方に排熱するため、前記天板２６とは間隔を存して形成され、前記左右側板４，４及び後側板５の上端部に板２３が設けられ、前記板２３よりも前記前面グリル１０が前方に張り出した状態にあることを特徴とする冷却貯蔵庫」
と訂正するとともに、特許請求の範囲の訂正に伴って発明の詳細な説明を訂正するものである。
（ｂ）訂正の目的の適否、新規事項の有無、及び拡張・変更の存否
　上記訂正は、特許請求の範囲の減縮、及び明りょうでない記載の釈明を目的とするものである。
　そして、上記訂正によれば、
▲１▼、請求項１の「前記機械室１６の上に設けられた物品載置部材２３とよりなり、」を「前記機械室１６の前面にある前面グリル１０の上端縁の後方へ延びて前記機械室１６の上方を区画する天板２６と、該天板２６の後部に設けた開口１４と、該天板２６の上方に設けられて前記天板２６と箱体又は籠体をなす物品載置部材２３とよりなり、」と訂正する訂正事項（以下、「訂正事項ａ」という。）、
▲２▼、請求項１の「空気抜口４３，４２とを備えた」を「空気抜口４３，４２と、前方側面が開放された空気排出の空間２７とを備えた」と訂正する訂正事項（以下、「訂正事項ｂ」という。）、
▲３▼、請求項２の「前記機械室１６を形成する左右側板４，４と、後部に開口１４を有する天板２６と、該天板２６とは間隔を存して形成され、」を「前記機械室１６を形成する左右側板４，４及び後側板５と、前記機械室１６の前面にある前面グリル１０の上端縁の後方へ延びて前記機械室１６の上方を区画し後部に開口１４を有する天板２６と、前記機械室１６を流れる空気を前記開口１４を通過して前記前面グリル１０上方から前方に排熱するため、前記天板２６とは間隔を存して形成され、」と訂正する訂正事項（以下、「訂正事項ｃ」という。）、
▲４▼、請求項２の「前記左右側板４，４の上端部に設けられた板２３とを備えてなる」を「前記左右側板４，４及び後側板５の上端部に板２３が設けられ、前記板２３よりも前記前面グリル１０が前方に張り出した状態にある」と訂正する訂正事項（以下、「訂正事項ｄ」という。）、
を含むものである。
　以下、上記訂正事項についてさらに検討する。
▲１▼、「訂正事項ａ」について、
　特許明細書には、「上側板３の前縁には前記ドア２と同一垂直面に前面に吸込口１５を有する前面グリル１０が立設されるとともに、左右側板４，４及び後側板５は前面グリル１０の上端縁のレベル迄上方に延長され、左右側板４，４及び後側板５の夫々の上端縁は後述する物品載置部材２３の対応する底辺に接合されるとともに、前記前面グリル１０の上端縁と接合した天板２６が左右側板４，４の延長された上端縁と接合され、該天板２６の後部は一部切り欠かれて開口１４が設けられ上方に解放されている。」（段落番号【００１１】）、「機械室１６は前面グリル１０、左右側板４，４の延長部１２，１２及び後側板５の延長部１３により側方が区画され、上方は前記天板２６にて区画されている。」（段落番号【００１２】）、「この物品載置部材２３は天板２６と、この天板２６の中心を通る鉛直な軸線上の定点Ｘへ向かって傾斜している後側板２４及び左右側板２５，２５とからなる箱体をなしている。（以後、この物品載置部材を物品載置箱体２３と称する。）そして、この物品載置箱体２３の前方側面は解放されて空間２７が形成されている。」（段落番号【００１３】）、「次いで、第１発明による物品載置部材の他の実施例を図４を参照して説明する。物品載置籠体（物品載置部材）２３は線条体Ｒを接合して籠状に構成された後側板２４、左右側板２５，２５及び載置部６とから構成されている。後側板２４及び左右側板２５，２５の傾斜角度は前記実施例と同様に構成されている。」（段落番号【００１７】）と記載されていると共に、同図面【図２】、【図４】には、訂正事項ａの構成が記載されている。
▲２▼、「訂正事項ｂ」について、
　特許明細書には、上記したように「この物品載置部材２３は天板２６と、この天板２６の中心を通る鉛直な軸線上の定点Ｘへ向かって傾斜している後側板２４及び左右側板２５，２５とからなる箱体をなしている。（以後、この物品載置部材を物品載置箱体２３と称する。）そして、この物品載置箱体２３の前方側面は解放されて空間２７が形成されている。」（段落番号【００１３】）と記載されていると共に、同図面【図２】乃至【図４】には、天板２６と箱体又は籠体をなす物品載置部材２３の傾斜部に空気抜口４３，４２と、前方側面が開放された空気排出の空間２７とを備えることが記載されている。
▲３▼、「訂正事項ｃ」について、
　特許明細書には、「天板２６は前記前面グリル１０の上端縁と接合すると共に、前記上側板３と平行に左右側板４，４及び後側板５と接合され、該天板２６の後部には一部に開口１４が形成され、上方に解放されている。前記天板２６と上側板３とにより区画されて機械室１６が設けられ、」（段落番号【００２０】）、「上側板３の前縁には前記ドア２と同一垂直面の前面に吸込口１５を有する前面グリル１０が立設されると共に、左右側板４，４及び後側板５は前記天板２６より突出するよう形成し、その上端縁に天板２６と平行に、且つ天板２６とは所定広さの間隙６２を形成するように物品載置部材２３が設けられている。」（段落番号【００２２】）、「外気Ｆ１は前面グリル１０の吸込口１５から機械室１６に導入され、凝縮器１７を通過して冷却し、更に凝縮器空冷用送風機１８で付勢されて電動圧縮機１９を冷却した空気はＦ３は、上方の開口１４を通過して、天板２６と物品載置板２３とのダクト状の間隔６２を前方へ通過してＦ４として外へ排出される。」（段落番号【００２３】）と記載されていると共に、同図面【図６】乃至【図９】には、訂正事項ｃの構成が記載されている。
▲４▼、「訂正事項ｄ」について、
　特許明細書には、上記したように「上側板３の前縁には前記ドア２と同一垂直面の前面に吸込口１５を有する前面グリル１０が立設されると共に、左右側板４，４及び後側板５は前記天板２６より突出するよう形成し、その上端縁に天板２６と平行に、且つ天板２６とは所定広さの間隙６２を形成するように物品載置部材２３が設けられている。」段落番号【００２２】）と記載されていると共に、同図面【図６】【図７】【図８】【図９】には、板２３（物品載置板２３）よりも前面グリル１０が前方に張り出した状態に設けられていることが明確に記載されている。
　そうしてみると、訂正事項ａ乃至訂正事項ｄは、願書に添付した明細書又は図面に記載された事項の範囲内においてなされたものである。
　また、当該訂正は、願書に最初に添付した明細書又は図面に記載された事項の範囲内のものであり、且つ、実質的に特許請求の範囲を拡張し又は変更するものではない。
（ｃ）独立特許要件の判断
　訂正明細書の請求項１に係る発明（以下、「本件第１発明」という。）に対し、当審が平成１１年４月９日付けで通知した取消理由通知で引用した刊行物１「実願昭５７−１１２８１５号（実開昭５９−１８２６６号）のマイクロフィルム」には、
「冷蔵庫の一例を例えば第１図および第２図に示す。図は上部を冷凍室２、下部を冷蔵室３として構成する冷蔵庫本体１であり、本体１の上面に形成する機械室４内には、前部にコンデンサ５、その後方にコンプレッサ６が配設されている。また機械室４前面には下面に吸入口７ａ、上面に排気口７ｂを有する前面パネル７が取り付けられ、機械室４内と連通している。また機械室４の他の周囲面は壁面で覆われている。従って、機械室４内へはパネル７の吸入口７ａから空気を吸入し、コンデンサ５、コンプレッサ６の放熱は天井面付近からパネル７の排気口７ｂに導かれ前面上方へ排気される。」（第２頁５行〜１７行）ことが記載され、図面第１図には従来のコンプトップ式冷蔵庫の外観斜視図が、第２図には第１図の機械室のカバーを外した状態の斜視図が記載されている。
　同じく引用した刊行物２「実願昭５５−１８２９４８号（実開昭５７−１０５５７３号）のマイクロフィルムには、
「冷蔵庫本体下部に機械室を設け、この機械室内に冷凍装置を構成する凝縮器、圧縮機等をそれぞれ配設するとともにこれらをファンにより強制空冷し、上記本体の背面より排気するようにした冷蔵庫において、上記機械室の前部に上記凝縮器を配設するとともに後部一側に上記圧縮機を設置し、上記機械室の後面開口部を覆う背面カバーを備え、………反防音材側に複数個の排気孔を開口したことを特徴とする冷蔵庫。」（実用新案登録請求の範囲）に関し、「（１０）は機械室（２）後面の開口部（９）全巾を覆うように装着された略箱状の背面カバーで、、上記仕切板に対応する側板および上部一側には複数個の排気孔（１１）を開口している。」（第３頁４行〜７行）こと、「したがって、冷蔵庫本体の機械室（２）内はファン（６）の回動により第３図に矢印に示すように空気が流れて室内は冷却される。すなわち、冷蔵庫の前面より吸入された空気は凝縮器（３）および圧縮機（４）を冷却し、仕切板のベルマウス部（８）を通り、背面カバー（１０）の排気孔（１１）から吐出するものである。」（第３頁１２行〜１８行）こと、が記載され、図面第２図には要部の分解斜視図が、第３図には要部の断面図が、記載されている。
　同じく引用した刊行物３「実願昭５８−７０４４２号（実開昭５９−１７５９８０号）のマイクロフィルム」には、
「上記冷蔵庫本体１の外郭を形成する外箱６は天井面を形成するテーブル板５、背面板４、底板８等により構成されている。９は圧縮機であり、１０は排水蒸発皿、１１は該排水蒸発皿内に溜まる排水を蒸発させるための排水コンデンサ−、これら項番９、１０、１１は冷蔵庫本体１の下部に形成される機械室１２内に取付けられている。１３は機械室カバーである。該機械室カバー１３は両端部に排熱口１３ａ、１３ｂを有し、機械室１２内の空気が先の排熱口１３ａ、１３ｂより排熱されてその後排熱通路１４へ排熱するようになっている。」（第２頁１３行〜第３頁４行）こと、「また２４は機械室カバーで機械室１２内の排熱空気を庫外に放出するための排熱スリット２４ａ、２４ｂを有しているが、該排熱スリットの開口面積は機械室１２内の排熱空気量を放出するのに充分なスリット開口面積を有しているものである。」（第８頁１２行〜１７行）こと、が記載され、図面第２図、第５図には冷蔵庫の要部切断斜視図が、第３図、第６図には機械室カバーを含む機械室の横断面図が、記載されている。
　また、訂正明細書の請求項２に係る発明（以下、「本件第２発明」という。）に対し、上記取消理由通知で引用した刊行物４「特開平２−１１８３８７号公報」には、
「冷却貯蔵庫本体上に、上面を開口すると共に両側壁及び前面に吸込口を有する前面グリルにて区画された機械室を形成し、該機械室に、冷凍系の電動圧縮機及び凝縮器と、該凝縮器空冷用送風機とを設置して成る冷却貯蔵庫において、前記機械室の上面には、該機械室の後面より前方位置に、上方に突設するストッパー面を有する物品載置板を、前記両側壁間に跨がって配設したことを特徴とする冷却貯蔵庫。」（特許請求の範囲）に関し、「本発明は載置板（１２）の存在によって、開口した機械室（８）の上面に、安定して物品（１３）を載せることができ、機械室（８）上方のスペースを有効に利用できる。」（第２頁左上欄１７行〜２０行）こと、「この載置板（１２）は機械室の両側板（７ａ），（７Ｂ）の上面に固着され、両側板（７ａ），（７Ｂ）間に跨がって設置される。更に、この載置板（１２）は機械室（８）の低圧側の上面を閉塞するように前端がグリル（６）の上面まで延在している。」（第２頁左下欄５行〜９行）こと、「以上の構成において、載置板（１２）は収納箱や工具等の物品（１３）の保管場所として使用され、物品（１３）は載置板（１２）の上に安定して載置することができ、これによって、機械室（８）の上方スペースを有効に利用することができる」（第２頁左下欄１０行〜１４行）こと、が記載され、図面第１図には冷却貯蔵庫の縦断面図が記載されている。
　同じく引用した刊行物５「実願昭６０−１５５２９４号（実開昭６２−６３６８６号）のマイクロフイルム」には、
「機械室２３は、その前面に吸入口２５と吹出口２７とを有している。機械室２３の内部には、吸入口２５と吹出口２７とを仕切るように、水平方向にのびた仕切板２８が設けられている。仕切板２８は機械室２３を上部室２９と下部室３０とに分け、かつこれらの上部室２９と下部室３０とを互いに連通させる通風口３１を残すように機械室２３の背面の近傍にまでのびている。仕切板２８の上面には、上部室２９の前部の吹出口２７の近傍に圧縮機３２が設けられている。仕切板２８の後部の上面には、凝縮器３３が設けられている。凝縮器３３と圧縮機３２との間には送風機３５が設けられている。」（第４頁１１行〜第５頁４行）こと、「なお、第４図に示すように、下部室３０に圧縮機３２、凝縮器３３、及び送風機３５を配してもよい。」（第６頁１４行〜１６行）こと、が記載され、図面第１図、第３図、第４図には冷蔵庫の機械室の断面図が記載されている。
　同じく引用した刊行物６「実願昭５８−１０８９１４号（実開昭６０−１８４７９号）のマイクロフィルム」には、
「凝縮器及び圧縮機等を冷蔵庫箱体の上部に配設し、覆いをつけたものにおいて、覆い上面の中央部に通気口を設けたことを特徴とする冷蔵庫。」（実用新案登録請求の範囲）に関し、「本考案の目的は、冷蔵庫箱体１の上部２に凝縮器及び圧縮機等の冷凍サイクル機器を配設した場合に、そのまわりの通風状態を改善して放熱の良い冷蔵庫を提供することにある。」（第２頁９行〜１２行）こと、「第２図は、覆い４の上面板４ｃの中央部に水平形通気口１０を設け、さらに、４ｃの上部に覆い板１１を設けて、上面板４ｃと覆い板１１との間に空間１２を構成して覆い４の中から出てきた空気を大気中へ放出できるようにしたものである。」（第３頁４行〜９行）こと、「なお、この構造によれば、冷蔵庫の上に物を置いても冷却効果を阻害されることがない。」（第３頁１４行〜１５行）こと、が記載され、図面第２図には覆い４の上部に覆い板１１を設けてその間を冷却空気の流通空間とした冷蔵庫の縦断面図が記載されている。
　（イ）そこで、本件第１発明と刊行物１記載のものとを対比するに、刊行物１記載のものでは、機械室４の頂面を物品を載置する面、すなわち機械室４の頂面を構成する部材を物品載置部材とする点の記載は認められない。しかしながら、冷蔵庫（冷却貯蔵庫）において、平坦に形成した頂面を物品を載置する面とすることが従来周知である（上記刊行物４及び６、並びに実願昭５７−４６５３６号（実開昭５８−１４８５９２号）のマイクロフィルム　参照）と共に、一般家庭等において、スペースの有効利用等を図るため各種機器の平坦な頂面を利用して物品を載置することはきわめて普通に行われており、さらに刊行物１記載のものにおいて平坦に形成した機械室４の頂面を物品を載置する面として用いることができない構造上等の要因が認められない。してみると、刊行物１記載のものにおいて、機械室４の頂面に形成した平坦面を物品の載置面として利用できることは明らかであり、物品載置面と解することができる。また、刊行物１記載の「冷蔵庫本体１」「機械室４」「コンプレッサ６」「コンデンサ５」「前面パネル７」は、その機能に照らして本件第１発明の「冷却貯蔵庫本体１」「機械室１６」「圧縮機１９」「凝縮器１７」「前面グリル１０」に相当する。したがって、上記両者は、「冷却貯蔵庫本体上に設けられ、前面に空気の吸込口が形成された機械室と、該機械室内に設けられた圧縮機と、凝縮器と、前記機械室の前面にある前面グリルの上端縁の後方へ延びて前記機械室の上方を区画する天板と、冷却貯蔵庫本体の頂部に設けた物品載置部材とを備えた冷却貯蔵庫」の点で一致し、下記の点で相違している。
相違点（１）
　本件第１発明では、機械室内に圧縮機と、凝縮器と、該凝縮器を冷却すめための送風機が設けられているのに対し、刊行物１記載のものでは、機械室内に圧縮機と、凝縮器が設けられているが、該凝縮器を冷却すめための送風機を設ける点の記載がない点。
相違点（２）
　本件第１発明では、天板の後部に設けた開口と、前記天板の上方に設けられて前記天板と箱体又は籠体をなす物品載置部材とよりなり、前記物品載置部材は、後側板及び左右側板を傾斜させてなる傾斜部と、該傾斜部の上部に設けられた物品を載置するための載置部と、前記傾斜部に形成された空気抜口と、前方側面が開放された空気排出の空間とを備えているのに対し、刊行物１記載のものでは、天板の後部に開口を有さず、また、天板上面を物品載置部材とし、前記物品載置部材は平坦な板体であると認められる点。
　そこで、上記相違点について検討する。
相違点（１）について、
　上記刊行物４、刊行物５にも記載されているように機械室内に圧縮機と、凝縮器と、該凝縮器を冷却すめための送風機を設けることは従来周知である。したがって、刊行物１記載のものにおいて、機械室内に、圧縮機と、凝縮器の他に、該凝縮器を冷却すめための送風機を設けることは当業者が容易になし得ることである。
相違点（２）について、
　刊行物２及び刊行物３には、機械室の後面の開口部を覆う背面カバー（機械室カバー）ではあるが、後側板及び左右側板を傾斜させた傾斜部と、傾斜部に連続した平坦部と、傾斜部に形成された空気抜口（排気孔１１、排気口１３ｂ）とを備えたものが記載されている。そして刊行物２及び刊行物３に記載のものは機械室の後面の開口部を覆う背面カバー（機械室カバー）であって、物品を載置する部材ではないが、刊行物２及び刊行物３記載のものにおいても平坦部を壁等に密着状態で配置した際にも空気抜口（排気孔１１、排気口１３ｂ）から効率よく排気できるものであって、この排気の技術、すなわち刊行物２及び刊行物３記載の背面カバー（機械室カバー）の形状を刊行物１記載の物品載置部材に適用できるものであるとしても、刊行物１乃至刊行物３記載のものは、天板の後部に開口が設けられたものではなく、また物品載置部材が天板の上方に設けられて前記天板と箱体又は籠体をなすものではなく、前方側面が開放された空気排出の空間を備えたものでもない。そうしてみると、この点について、容易に想到し得たものとすることができない。
　以上のとおりであるから、本件第１発明は、刊行物１乃至刊行物３記載のものに基づいて容易に発明をすることができたものとすることができない。
　（ロ）本件第２発明と刊行物４記載のものとを対比すると、刊行物４記載の「冷却貯蔵庫本体（１）」「吸込口（５）」「機械室（８）」「圧縮機（９）」「凝縮器（１０）」「送風機（１１）」「左右側板（７Ａ）、（７Ｂ）」「前面グリル（６）」は、その機能に照らして本件第２発明の「冷却貯蔵庫本体１」「吸込口１５」「機械室１６」「圧縮機１９」「凝縮器１７」「送風機１８」「左右側板４，４」「前面グリル１０」に相当するから、上記両者は「冷却貯蔵庫本体上に設けられ、前面に空気の吸込口が形成された機械室と、該機械室内に設けられた圧縮機と、凝縮器と、該凝縮器を冷却するための送風機と、前記機械室を形成する左右側板と、前記機械室の前面にある前面グリルの上端縁の後方へ延びて前記機械室の上方を区画し後部に開口を有する天板と、前記機械室を流れる空気を前記開口を通過して排熱させる冷却貯蔵庫」の点で一致し、下記相違点で相違している。
（相違点）
　本件第２発明では、機械室を流れる空気を前記開口を通過して前記前面グリル上方から前方に排熱するため、前記天板とは間隔を存して形成され、前記左右側板及び後側板の上端部に板が設けられ、前記板よりも前記前面グリルが前方に張り出した状態にあるのに対し、刊行物４記載のものでは、機械室を流れる空気を前記開口を通過して上方に排熱するものであって、前記天板とは間隔を存して形成され、前記左右側板及び後側板の上端部に板が設けられておらず、天板上に板が設けられていない以上板と前面グリルとの関係についても言及がない点。
　そこで、上記相違点について検討するに、刊行物５には、圧縮機、凝縮器、該凝縮器を冷却するための送風機を設けた機械室の上方に天板に相当する仕切板２８を配し、該仕切板の上方に該仕切板と間隔を存して板を設けて、該間隔を凝縮器、圧縮機を冷却し温度上昇した空気を排気する通路とすることが、また刊行物６には、凝縮器、圧縮機等の冷凍サイクル機器を配設した機械室（覆い４）の上面板４ｃ（天板に相当）と間隔を存して覆い板１１（板２３に相当）を設けて、該間隔を凝縮器、圧縮機を冷却し温度上昇した空気を排気する通路とすることが記載されているが、刊行物５記載のものは、機械室を冷蔵庫の底部に配したものであって、本件第２発明のように機械室を冷却貯蔵庫本体上に設けたものとはその基本構成が相違し、また本件第２発明の課題を想到する記載、あるいは示唆もないものである。さらに刊行物６記載のものは、自然排気式であって、送風機を用いた強制排気式の場合の課題、及びその対処の記載がないものであり、刊行物５及び６には、相違点における本件第２発明の構成、特に「前記左右側板及び後側板の上端部に板が設けられ、前記板よりも前記前面グリルが前方に張り出した状態にある」構成について記載がなく、またその示唆もないものである。してみると、相違点おける本件第２発明の構成を採用することが、容易になし得たものとすることができない。
　以上のとおりであるから、本件第２発明は、刊行物４乃至刊行物６記載のものに基づいて容易に発明をすることができたものとすることができない。
　したがって、本件第１発明及び本件第２発明は、特許出願の際独立して特許を受けることができるものである。
（ｄ）むすび
　以上のとおりであるから、上記訂正は、特許法第１２０条の４第２項、及び同条第３項で準用する同法第１２６条第２項乃至第４項の規定に適合するので、当該訂正を認める。
３．特許異議申立てについての判断
（ａ）本件発明
　平成１１年７月２日付けで提出された訂正明細書の請求項１及び２に係る発明（以下、上記のとおり「本件第１発明」及び「本件第２発明」という。）は、その特許請求の範囲の請求項１及び２に記載されたとおりの次のものである。
「【請求項１】冷却貯蔵庫本体１上に設けられ、上面が開口し、前面に空気の吸込口１５が形成された機械室１６と、該機械室１６内に設けられた圧縮機１９と、凝縮器１７と、該凝縮器１７を冷却するための送風機１８と、前記機械室１６の前面にある前面グリル１０の上端縁の後方へ延びて前記機械室１６の上方を区画する天板２６と、前記天板２６の後部に設けた開口１４と、前記天板２６の上方に設けられて前記天板２６と箱体又は籠体をなす物品載置部材２３とよりなり、前記物品載置部材２３は、後側板２４及び左右側板２５，２５を傾斜させてなる傾斜部と、該傾斜部２４，２５の上部に設けられ物品を載置するための載置部６と、前記傾斜部に形成された空気抜口４３，４２と、前方側面が開放された空気排出の空間２７とを備えたことを特徴とする冷却冷蔵庫。
　【請求項２】冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４及び後側板５と、前記機械室１６の前面にある前面グリル１０の上端縁の後方へ延びて前記機械室１６の上方を区画し後部に開口１４を有する天板２６と、前記機械室１６を流れる空気を前記開口１４を通過して前記前面グリル１０上方から前方に排熱するため、前記天板２６とは間隔を存して形成され、前記左右側板４，４及び後側板５の上端部に板２３が設けられ、前記板２３よりも前記前面グリル１０が前方に張り出した状態にあることを特徴とする冷却貯蔵庫。」
（ｂ）申立ての理由の概要
　特許異議申立人　ホシザキ電機株式会社は、甲第１号証「実開昭５９−１８２６６号全文明細書」、甲第２号証「実開昭５７−１０５５７３号全文明細書」、甲第３号証「実開昭５９−１７５９８０号全文明細書」、甲第４号証「特開平２−１１８３８７号公報」、甲第５号証「実開昭６２−６３６８６号全文明細書」、甲第６号証「実開昭５８−１４８５９２号全文明細書」及び甲第７号証「実開昭６０−１８４７９号全文明細書」を提出し、本件第１発明は、甲第１号証乃至甲第４号証の記載に基づいて容易に発明をすることができたものであり、本件第２発明は、甲第４号証乃至甲第７号証の記載に基づいて容易に発明をすることができたものであるから、本件第１発明及び本件第２発明は、特許法第２９条第２項の規定に違反してなされたものであって、同法第１１３条第１項第２号の規定により取消されるべきである、と主張している。
（ｃ）判断
　甲第１号証は刊行物１に、甲第２号証は刊行物２に、甲第３号証は刊行物３に、甲第４号証は刊行物４に、甲第５号証は刊行物５に、甲第７号証は刊行物６に、それぞれ対応するものであって、甲第１号証乃至甲第５号証、並びに甲第７号証には上記２．（ｃ）に記載した発明が記載されている。また、甲第６号証には、「冷蔵庫本体１の、上方に冷却器室１１下方に機械室２を設けた冷蔵庫であって、機械室２の下方には、風上側より凝縮器１０、機械室送風機１２、圧縮機９を収納すると共に、機械室２の上方を排気風路とし、外気吸込口７に対向して吸音板１８を設けて空気迂回路１９を形成すると共に機械室の内面に吸音材を貼り巡らした冷蔵庫、及びこのように冷蔵庫を構成することにより、圧縮機や機械室送風機から発生する騒音は、吸音材や吸音板により吸収減衰されて騒音が大幅に低減すること」が記載されている。
（本件第１発明について）
　上記２．（ｃ）に記載したとおり、本件第１発明が、甲第１号証乃至甲第３号証記載の発明に基づいて容易に発明をすることができたものとすることができない。また、甲第４号証には、上記２．（ｃ）に記載した発明が記載され、甲第４号証は、本件特許明細書にも記載されているように、本件第１発明の先行技術ではあるが本件第１発明の課題について記載がなく、また、本件第１発明の構成要件である、「前記天板の上方に設けられて前記天板と箱体又は籠体をなす物品載置部材とよりなり、前記物品載置部材は、後側板及び左右側板を傾斜させてなる傾斜部と、該傾斜部の上部に設けられ物品を載置するための載置部と、前記傾斜部に形成された空気抜口と、前方側面が開放された空気排出の空間とを備えた」点について記載されていない。
　そうしてみると、甲第４号証の記載を参酌しても、本件第１発明が、上記甲各号証の記載に基づいて容易に発明をすることができたものとすることができない。
（本件第２発明について）
　上記２．（ｃ）に記載したとおり、本件第２発明が、甲第４号証、甲第５号証及び甲第７号証記載の発明に基づいて容易に発明をすることができたものとすることができない。また、甲第６号証記載のものは、上記したように圧縮機や機械室送風機から発生する騒音を大幅に低減する技術に関するものであって、冷蔵庫（冷却貯蔵庫）の構造は甲第５号証記載のものと大差ないものであり、甲第６号証の記載を参酌しても、本件第２発明が、上記甲各号証の記載に基づいて容易に発明をすることができたものとすることができない。
（ｄ）むすび
　以上のとおりであるから、特許異議申立ての理由及び証拠によっては、本件第１発明及び本件第２発明の特許を取り消すことはできない。
　また、他に本件第１発明及び本件第２発明の特許を取り消すべき理由を発見しない。
　よって結論のとおり決定する。
【異議決定日】
平成１１年９月３日（１９９９．９．３）
【訂正の要旨】
　本件訂正請求の要旨は、特許第２７６０７０７号の明細書を、本件訂正請求書に添付した訂正明細書のとおりに訂正するもので、その訂正の内容は下記▲１▼〜▲３▼のとおりである。
▲１▼．訂正事項ａ
　特許請求の範囲の
「【請求項１】冷却貯蔵庫１本体上に設けられ、上面が開口し、前面に空気の吸込口１５が形成された機械室１６と、該機械室１６内に設けられた圧縮機１９と、凝縮器１７と、該凝縮器１７を冷却するための送風機１８と、前記機械室１６の上に設けられた物品載置部材２３とよりなり、該物品載置部材２３は、後側板２４及び左右側板２５，２５を傾斜させてなる傾斜部と、該傾斜部２４，２５の上部に設けられた物品を載置するための載置部６と、前記傾斜部に形成された空気抜口４３，４２とを備えたことを特徴とする冷却冷蔵庫。
　【請求項２】冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４と、後部に開口１４を有する天板２６と、該天板２６とは間隔を存して形成され、前記左右側板４，４の上端部に設けられた板２３とを備えてなることを特徴とする冷却貯蔵庫。」
の記載を、
「【請求項１】冷却貯蔵庫本体１上に設けられ、上面が開口し、前面に空気の吸込口１５が形成された機械室１６と、該機械室１６内に設けられた圧縮機１９と、凝縮器１７と、該凝縮器１７を冷却するための送風機１８と、前記機械室１６の前面にある前面グリル１０の上端縁の後方へ延びて前記機械室１６の上方を区画する天板２６と、前記天板２６の後部に設けた開口１４と、前記天板２６の上方に設けられて前記天板２６と箱体又は籠体をなす物品載置部材２３とよりなり、前記物品載置部材２３は、後側板２４及び左右側板２５，２５を傾斜させてなる傾斜部と、該傾斜部２４，２５の上部に設けられ物品を載置するための載置部６と、前記傾斜部に形成された空気抜口４３，４２と、前方側面が開放された空気排出の空間２７とを備えたことを特徴とする冷却冷蔵庫。
　【請求項２】冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４及び後側板５と、前記機械室１６の前面にある前面グリル１０の上端縁の後方へ延びて前記機械室１６の上方を区画し後部に開口１４を有する天板２６と、前記機械室１６を流れる空気を前記開口１４を通過して前記前面グリル１０上方から前方に排熱するため、前記天板２６とは間隔を存して形成され、前記左右側板４，４及び後側板５の上端部に板２３が設けられ、前記板２３よりも前記前面グリル１０が前方に張り出した状態にあることを特徴とする冷却貯蔵庫。」
と訂正する。
▲２▼．訂正事項ｂ
　特許明細書の段落番号【０００５】の、
「【課題を解決するための手段】
　上記欠点を克服するための手段として、第１発明は、冷却貯蔵庫１本体上に設けられ、上面が開口し、前面に空気の吸込口１５が形成された機械室１６と、該機械室１６内に設けられた圧縮機１９と、凝縮器１７と、該凝縮器１７を冷却するための送風機１８と、前記機械室１６の上に設けられた物品載置部材２３とよりなり、該物品載置部材２３は、後側板２４及び左右側板２５，２５を傾斜させてなる傾斜部と、該傾斜部２４，２５の上部に設けられ物品を載置するための載置部６と、前記傾斜部に形成された空気抜口４３，４２とを備えた冷却貯蔵庫を提供するものである。」
の記載を、
「【課題を解決するための手段】
　上記欠点を克服するための手段として、第１発明は、冷却貯蔵庫本体１上に設けられ、上面が開口し、前面に空気の吸込口１５が形成された機械室１６と、該機械室１６内に設けられた圧縮機１９と、凝縮器１７と、該凝縮器１７を冷却するための送風機１８と、前記機械室１６の前面にある前面グリル１０の上端縁の後方へ延びて前記機械室１６の上方を区画する天板２６と、前記天板２６の後部に設けた開口１４と、前記天板２６の上方に設けられて前記天板２６と箱体又は籠体をなす物品載置部材２３とよりなり、前記物品載置部材２３は、後側板２４及び左右側板２５，２５を傾斜させてなる傾斜部と、該傾斜部２４，２５の上部に設けられ物品を載置するための載置部６と、前記傾斜部に形成された空気抜口４３，４２と、前方側面が開放された空気排出の空間２７とを備えた冷却貯蔵庫を提供するものである。」
と訂正する。
▲３▼．訂正事項ｃ
　特許明細書の段落番号【０００６】の、
「また、第２の発明として、冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４と、後部に開口１４を有する天板２６と、該天板２６とは間隔を存して形成され、前記左右側板４，４の上端部に設けられた板２３とを備えてなることを特徴とする冷却貯蔵庫を提供するものである。」
の記載を、
「また、第２の発明として、冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４及び後側板５と、前記機械室１６の前面にある前面グリル１０の上端縁の後方へ延びて前記機械室１６の上方を区画し後部に開口１４を有する天板２６と、前記機械室１６を流れる空気を前記開口１４を通過して前記前面グリル１０上方から前方に排熱するため、前記天板２６とは間隔を存して形成され、前記左右側板４，４及び後側板５の上端部に板２３が設けられ、前記板２３よりも前記前面グリル１０が前方に張り出した状態にあることを特徴とする冷却貯蔵庫を提供するものである。」
と訂正する。
（５４）【発明の名称】
冷却貯蔵庫
（５７）【特許請求の範囲】
　【請求項１】冷却貯蔵庫本体１上に設けられ、上面が開口し、前面に空気の吸込口１５が形成された機械室１６と、該機械室１６内に設けられた圧縮機１９と、凝縮器１７と、該凝縮器１７を冷却するための送風機１８と、
前記機械室１６の前面にある前面グリル１０の上端縁の後方へ延びて前記機械室１６の上方を区画する天板２６と、前記天板２６の後部に設けた開口１４と、前記天板２６の上方に設けられて前記天板２６と箱体又は籠体をなす
と、前方側面が開放された空気排出の空間２７
　【請求項２】冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４
及び後側板５と、前記機械室１６の前面にある前面グリル１０の上端縁の後方へ延びて前記機械室１６の上方を区画し後部に開口１４を有する天板２６と、前記機械室１６を流れる空気を前記開口１４を通過して前記前面グリル１０上方から前方に排熱するため、前記天板２６
及び後側板５の上端部に板２３が設けられ、前記板２３よりも前記前面グリル１０が前方に張り出した状態にある
【発明の詳細な説明】
　【０００１】
　【産業上の利用分野】
　本発明は、冷凍系のコンデンシングユニットを冷却貯蔵庫本体上に画成された機械室に設置してなる冷却貯蔵庫の構造に関するものである。
　【０００２】
　【従来の技術】
　図１０は従来の冷却貯蔵庫ａの要部の縦断面を示す図である。図１０において、冷却貯蔵庫ａの本体ｂの上側板ｂ１と、前面に吸込口ｃ１を有する前面グリルｃの上端縁に連設された後端縁にストッパｄ１が形成された物品載置板ｄと、該物品載置板ｄの左右端縁に、本体ｂの左右側板ｂ２，ｂ２が上方に延長されて接合されて機械室ｅが区画されている。
　【０００３】
　前記本体ｂの上側板ｂ１一部は段違いに若干持ち上げられて台部ｂ１´が形成されると共に、該台部ｄ１´上に凝縮器ｍ１，凝縮器用送風機ｍ２，圧縮機ｍ３が配設されている。尚、符号ｆは前面のドアを示し、ｈは物品載置板ｄ上に載置された物品を示し、ｉは天井を示している。
　【０００４】
　【発明が解決しようとする課題】
　従来の冷却貯蔵庫ａは上記のように構成されているので、図１０に示されるように、物品ｈを天井ｉ近くまで置かれると、前面グリルｃの吸込口ｃ１から取り入れられ、凝縮器ｍ１及び圧縮機ｍ３を冷却した冷却空気ｊの出口が閉塞されて、冷却貯蔵庫ａの冷却効率が落ちる欠点があった。
　【０００５】
　【課題を解決するための手段】
　上記欠点を克服するための手段として、第１発明は、冷却貯蔵庫本体１上に設けられ、上面が開口し、前面に空気の吸込口１５が形成された機械室１６と、該機械室１６内に設けられた圧縮機１９と、凝縮器１７と、該凝縮器１７を冷却するための送風機１８と、
前記機械室１６の前面にある前面グリル１０の上端縁の後方へ延びて前記機械室１６の上方を区画する天板２６と、前記天板２６の後部に設けた開口１４と、前記天板２６の上方に設けられて前記天板２６と箱体又は籠体をなす
と、前方側面が開放された空気排出の空間２７
　【０００６】
　また、第２発明として、冷却貯蔵庫本体１上に設けられ、前面に空気の吸込口１５が形成された機械室１６と、該機械室１６内に設けられた圧縮機１９と、凝縮器１７と、該凝縮器１７を冷却するための送風機１８と、前記機械室１６を形成する左右側板４，４
及び後側板５と、前記機械室１６の前面にある前面グリル１０の上端縁の後方へ延びて前記機械室１６の上方を区画し後部に開口１４を有する天板２６と、前記機械室１６を流れる空気を前記開口１４を通過して前記前面グリル１０上方から前方に排熱するため、前記天板２６
及び後側板５の上端部に板２３が設けられ、前記板２３よりも前記前面グリル１０が前方に張り出した状態にある
　【０００８】
　【作用】
　第１発明では、天板及び側板に空気抜口が形成されている関係上、天板に物品を載置しても側板に形成された空気抜口から冷却空気を排出することができ、更に物品が載置されていない状態では、天板からも冷却空気を排出することができる。
　【０００９】
　また、第２発明では、物品載置部材上に物品を載置しても、空気の抜ける通路は、常に確保されているため、確実に冷却空気を排出することができる。
　【００１０】
　【実施例】
　第１発明による冷却貯蔵庫の一実施例を図１に基づいて説明すると、前面開口にドア２を螺着された冷却貯蔵庫本体１は左右側板４，４、後側板５、上側板３、中板７及び底板８にて区画された収容室Ａ及び収容室Ｂからなる箱体で構成されている。
　【００１１】
　上側板３の前縁には前記ドア２と同一垂直面に前面に吸込口１５を有する前面グリル１０が立設されるとともに、左右側板４，４及び後側板５は前面グリル１０の上端縁のレベル迄上方に延長され、左右側板４，４及び後側板５の夫々の上端縁は後述する物品載置部材２３の対応する底辺に接合されるとともに、前記前面グリル１０の上端縁と接合した天板２６が左右側板４，４の延長された上端縁と接合され、該天板２６の後部は一部切り欠かれて開口１４が設けられ上方に解放されている。
　【００１２】
　機械室１６は前面グリル１０，左右側板４，４の延長部１２，１２及び後側板５の延長部１３により側方が区画され、上方は前記天板２６にて区画されている。機械室１６の底板たる上側板３の後半部は段違いに持ち上げられ台部１１が設けられるとともに、該台部１１に立設された隔壁２０に付設された凝縮器１７、その後方に凝縮器空冷用送風機１８及び電動圧縮機１９が配設されている。
　【００１３】
　機械室１６の周壁を形成している箱体の左右側板４，４の延長部１２，１２及び後側板５の延長部１３の上端縁には物品載置部材２３が設けられており、この物品載置部材２３は天板２６と、この天板２６の中心を通る鉛直な軸線上の定点Ｘへ向かって傾斜している後側板２４及び左右側板２５，２５とからなる箱体をなしている。（以後、この物品載置部材を物品載置箱体２３と称する。）そして、この物品載置箱体２３の前方側面は解放されて空間２７が形成されている。
　【００１４】
　台部１１の下部にはエバポレ−タ２１及びエバポレ−タ用送風機２２が配設されている。収容室Ａ及び収容室Ｂには棚５７を支持する支持柱５９が設けられ、棚５７の後端は後側板５の内側に支え金５８で支持されている。又、収容室Ａ及び収容室Ｂの外周は断熱材Ｄにて積層されている。底板８の下面の四隅には脚９が立設されている。
　【００１５】
　第１発明による冷却貯蔵庫の一実施例は、上記のように構成されているので図１に基づいて空気の流れを説明する。外気Ｆ１は前面グリル１０の吸込口１５から機械室１６の隔壁２０で区画された前室に導入され、隔壁２０に付設された凝縮器１７を冷却したＦ２となり、凝縮器空冷用送風機１８で加速されて電動圧縮機１９を冷却してＦ３となって、Ｆ３は切欠１４を通過して物品載置箱体２３の後側板２４及び左右側板２５，２５に設けられた空気抜口４２又は空間２７からＦ４として外方へ排出される。
　【００１６】
　従って、図１に示されるように、物品載置箱体２３の上全体に物６０が載置されても、冷却した空気Ｆ４は物品載置箱体２３の左右側板２５，２５の空気抜口４３、後側板２４の空気抜口４２及び空間２７から外方へ排出される。又、図３に示されるように、物品載置箱体２３の上全面に物６０が載置され、且つ物６０が冷却貯蔵庫本体１の一方の側面に密着した壁面６１に密着していても、冷却した空気Ｆ４は物品載置箱体２３の左右側板２５，２５の空気抜口４３から外方へ排出されると共に、前方側面の空間２７からも外方へ排出される。
　【００１７】
　即ち、物品載置箱体の投影面積に相当する大きさの物を、該物品載置箱体上に載置されても、機械室の機器を冷却した空気の排出経路が確保される。次いで、第１発明による物品載置部材の他の実施例を図４を参照して説明する。物品載置籠体（物品載置部材）２３は線条体Ｒを接合して籠状に構成された後側板２４、左右側板２５，２５及び載置部６とから構成されている。後側板２４及び左右側板２５，２５の傾斜角度は前記実施例と同様に構成されている。
　【００１８】
　尚、本実施例では後側板及び左右側板を共に傾斜させて排出する空気の経路を確保しているが、左右側板のみを傾斜させただけでも十分である。
　【００１９】
　次いで、第２発明による冷却貯蔵庫の一実施例を図５及び図６に基づいて説明すると、前面開口にドア２が螺着された冷却貯蔵庫本体１は、左右側板４，４、後側板５、上側板３及び下面の四隅に脚９が立設された底板８からなる箱体で構成され、前面開口には十字状の仕切体５０が設けられ、該仕切体５０の端部は夫々上側板３及び底板８に、又左右側板４，４に連設されている。
　【００２０】
　天板２６は前記前面グリル１０の上端縁と接合すると共に、前記上側板３と平行に左右側板４，４及び後側板５と接合され、該天板２６の後部には一部に開口１４が形成され、上方に解放されている。前記天板２６と上側板３とにより区画されて機械室１６が設けられ、該機械室１６の底板たる上側板３の後部には、一部段違いに持ち上げられて台部１１が設けられ、該台部１１前面に立設された隔壁２０には凝縮器１７が設けられ、該凝縮器１７の後部には凝縮器空冷用送風機１８及び電動圧縮機１９が夫々配設されている。
　【００２１】
　台部１１の下部にはエバポレ−タ２１及びエバポレ−タ用送風機２２が配設されている。前面開口にドア２、左右側板４，４、後側板５、上側板３及び底板８から区画された収容室Ａには棚５７を支持する支持柱５９が設けられ、棚５７の後端は後側板５の内面に支え金５８で支持されると共に、該収容室Ａの外周のドア２、左右側板４，４、後側板５、上側板３及び底板８は断熱材Ｄで積層されている。
　【００２２】
　上側板３の前縁には前記ドア２と同一垂直面の前面に吸込口１５を有する前面グリル１０が立設されると共に、左右側板４，４及び後側板５は前記天板２６より突出するよう形成し、その上端部に天板２６と平行に、且つ天板２６とは所定広さの間隙６２を形成するように物品載置部材２３が設けられている。次に図７を参照して空気の流れを説明する。
　【００２３】
　図７は第２発明による冷却貯蔵庫の冷却貯蔵庫本体１を壁５４の凹部５５に埋設して設置した要部の縦断面図である。外気Ｆ１は前面グリル１０の吸込口１５から機械室１６に導入され、凝縮器１７を通過して冷却し、更に凝縮器空冷用送風機１８で付勢されて電動圧縮機１９を冷却した空気Ｆ３は、上方の開口１４を通過して、天板２６と物品載置板２３とのダクト状の間隔６２を前方へ通過してＦ４として外へ排出される。
　【００２４】
　即ち、冷却貯蔵庫本体１自体冷却した空気の排出経路を保持しているので、壁５４の凹部５５に埋設されても冷却効率が落ちることは無い。図８は第２発明による冷却貯蔵庫本体１の後面を壁５４に沿わせて設置すると共に、物品載置板２３に物６０を天井５６まで載置した状態の冷却貯蔵庫要部の縦断面図である。
　【００２５】
　物品載置板２３に物６０を天井５６まで載置した以外の冷却空気の流れ等については、図７と同様であるので説明は省略する。即ち、冷却貯蔵庫本体１自体冷却した空気の排出経路を保持しているので、物品載置板２３の全面に物６０を天井５６まで載置しても冷却効率が落ちることは無い。
　【００２６】
　次いで、第２発明による冷却貯蔵庫の他の実施例を図９に基づき説明する。図９の機械室１６を取り囲む前面グリル１０、左右側板４，４の延長部１２，１２、後側板５の延長部１３、天板２６の内面に吸音材７４を貼着すると共に、物品載置板２３の内面にも吸音材７４を貼着している。その他の構成については、図６の他の実施例と同様であるので説明は省略する。
　【００２７】
　物品載置板２３は上述したような構成であるため、機械室１６内の凝縮器空冷用送風機１８及び電動圧縮機１９から発生する音がダクト状の間隔６２を通過して前面に達する際、前記吸音材７４に吸収されてノイズレベルが小さくなる。その他の冷却空気の経路等については、図６の他の実施例と同様であるので説明は省略す
　【００３２】
　【発明の効果】
　以上説明したように本発明による冷却貯蔵庫によれば、機械室の凝縮器及び圧縮機等を冷却した空気の排出経路を設けたので、冷却貯蔵庫の上部前面に物を積載し、且つ天井が近設し側面が壁等で囲まれた場合、冷却空気の循環がスムーズに行われ、冷却貯蔵庫の冷却効率が落ちることは無い。
【図面の簡単な説明】
　【図１】第１発明の一実施例を示した縦断面図である。
　【図２】第１発明の物品載置部材を示した斜視図である。
　【図３】物品載置部材に物を載置した時を示す側面図である。
　【図４】第１発明の他の物品載置部材を示した斜視図である。
　【図５】本発明を具備する前の正面図である。
　【図６】第２発明の一実施例を示した縦側断面図である。
　【図７】第２発明の設置した状態図である。
　【図８】第２発明の設置した状態図である。
　【図９】第２発明の物品載置部材の他の実施例を示した縦側断面図である。
　【図１０】従来技術を示した要部の縦側断面図である。
　【符号の説明】
１冷却貯蔵庫本体
６天板
１２左右側板の延長部
１３後側板の延長部
１４開口
１５吸込口
１６機械室
１７凝縮器
１８送風機
１９圧縮機
２３物品載置部材
２４物品載置部材の後側板
２５物品載置部材の左右側板
３２載置部
４２空気抜口
５６天井
６２間隙